(57)【要約】      （修正有）【課題】クリアファイルにおいて、書類に折り目等がつかずコンパクトであり携帯に有利な形状としたロールファイルを提供する。【解決手段】クリアファイルを円筒形として携帯する方法であって、２枚からなるシートの一辺、及びその隣接する両辺の僅かの延長において圧着し、外側となるシートの下方先端中央部に突状掛止部５を設け、且つ中央部に上下に連続する孔状掛止部６を設け、それらが嵌合することによりクリアファイルが円筒形を保持することを可能とする。【選択図】図１
0003195595.tif 000002
【実用新案登録請求の範囲】
【請求項１】
２枚からなるシートの上部一辺、及びその隣接する両辺の僅かの延長において圧着された可撓性書類ホルダーであって、円筒形を成した時点において外側となるシートの、下方先端中央部に突状掛止部を設け、且つ中央部に上下に連結する孔状掛止部を設け、前記突状掛止部と前記孔状掛止部とが嵌合することにより、該書類ホルダーの円筒形となる形状を保持することを特徴とするロールファイル。
【考案の詳細な説明】
【技術分野】
【０００１】
本考案は事務用品の一つであるクリアホルダーに関する。
【背景技術】
【０００２】
従来の書類ホルダーには幾つかの種類があり、特に近年はクリアホルダーの利用が主流である。クリアホルダーは透明であるためそのままでも書類を見ることができ、また書類の出し入れも容易でありコストも安価である。更に書類棚等への保管や整理にも適している。
【０００３】
しかし、持ち運ぶ場合はその薄さゆえ手からすべり落ちやすく、また、書類だけが抜け落ちやすく長時間の形態には不向きである。通常はバッグに入れて持ち運ぶ場合が多いが、例えばＡ４サイズが入る大きさが必要であり常にその大きさのバッグを所持しているとは限らない。また、書類のためにだけ不必要に大きなバッグを所持しなければならない。
【０００４】
そこで特許文献１にみられるようにクリアファイルから書類がすべり落ちないようにベルトを備えたものや、特許文献２にみられる、クリアファイルを折り畳む形状のものが考案されている。しかし、特許文献２の場合折り畳むことにより折り曲げ部に癖がつき原形に戻りにくくなる問題点を抱える。また、折り畳み頻度によっては白い線が入ったり、亀裂が生ずる場合も想定される。更には書類に折り目がつくことにおいては防止することができず、重要な書類等には利用できない形状といえる。
【先行技術文献】
【特許文献】
【０００５】
【特許文献１】特開２０１３−２３７２５３号公報
【特許文献２】特開２０１１−１３１５６７号公報
【考案の概要】
【考案が解決しようとする課題】
【０００６】
そこで、クリアファイルにおいて書類に折り目等がつかず、コンパクトであり携帯に有利な形状とすることを課題とする。
【課題を解決するための手段】
【０００７】
本考案によるロールファイルは、平板ではなく巻いた状態で携帯する方法である。従来のクリアファイルは隣接する二辺が綴じられており書類も安定した状態で保持されている。しかし本考案によるロールファイルは一辺のみを綴じた形状とすることで巻いて円筒形とすることができる。
【０００８】
従来のクリアファイルは素材の性質上、折り曲げただけではクリアファイルの左辺のように密着しない状態となり書類もルーズな状態でクリアファイルより落ちやすい状況である。そこで底辺（下辺）は２枚のシートをパンチにより圧着して綴じることにより、クリアファイルのシートどうしが密着した状態となる。これにより、書類も安定した状態で保持されることとなる。
【０００９】
しかし、本考案によるロールファイルは一辺のみを綴じた形状のため書類が保持されにくく、当然パンチによる圧着方法によるものであるが、書類の挿入も正確に行うことは難しく、ロールファイルより書類がはみ出る場合も想定される。
【００１０】
そこで考えられるのがパンチによる圧着部を一辺のみだけではなく、隣接する両辺へ例えば略１センチメートル延長する方法である。これによりロールファイルのシートどうしの密着度も高まり書類は安定した状態で保持され、且つ的確にロールファイル内に挿入することが可能となる。
【００１１】
次に円筒形となったロールファイルを固定する方法について説明すると、通常書類に限らず紙類等丸めたものは輪ゴムで止めるか紐で縛るのが一般的であり、図面のように重要な書類は円筒形のケースに入れて携帯されている。
【００１２】
ロールファイルにおいても輪ゴムや紐で止める方法は簡素且つ安価であり効果的といえる。しかし、輪ゴムは紛失することもあり紐においても利用時以外は邪魔になることとなる。
【００１３】
そこでロールファイル自体に固定手段、つまり掛止部を備えることとする。この掛止部は図１及び図２に示すように突状掛止部と孔状掛止部を嵌合する方法である。掛止する際の手間は僅かなものであり、また突部の形状により掛止部が外れにくい構造といえる。
【考案の効果】
【００１４】
このように、ロールファイルは円筒形にすることにより手で持った場合は持ちやすく、バッグの中に入れて携帯する際も円筒形の大きさを自由に変えることで小さなバッグにも対応することができる。
【００１５】
また、掛止方法も輪ゴムや紐に比べ容易に行うことができ、ロールファイルを広げて書類を見る際も輪ゴムや紐のように何ら気にすることもない。また、掛止部によりシートが密着し書類はロールファイル内に安定した状態で保持される。
【００１６】
ロールファイルは一辺のみの圧着方法によるためその形状を自由に曲げることができ、バッグの底に敷くことでスペースを殆んど必要としないこともできる。
【図面の簡単な説明】
【００１７】
【図１】本発明によるロールファイルの外側シートの平面図
【図２】本発明によるロールファイルの突状掛止部の拡大断面図
【図３】本発明によるロールファイルの嵌合時における拡大断面図
【図４】本発明によるロールファイルの幅広掛止部の拡大図
【考案を実施するための形態】
【００１８】
形態について詳しく説明する。
本考案によるロールファイルは、２枚のシートを圧着部（４）によりコの字形に圧着したものである。これにより従来のクリアファイルと異なり巻いた状態（円筒形）とすることができる。円筒形となったロールファイルにはシートと書類との間に圧力が生じ書類がすべり落ちることはない。
【００１９】
しかし、書類を見る場合は平面として利用するため、従来のクリアファイルに比べ書類が落ちやすく安定した状態とはいえない。例え上下を逆に利用し圧着部を下辺に利用したとしても書類を固定するには充分とはいえない。
【００２０】
そこで、ロールファイルを円筒形として保持する際に必要となる突状掛止部（５）と孔状掛止    部（６）であるが、該突状掛止部（５）の形状を図２に表わす様に、２枚のシートが固定される形状として備える。これにより書類を固定し脱落も防止することができる。
【００２１】
次に嵌合時について説明すると、円筒形として巻かれたロールファイルの外側シート（１）の略中央部に連続して設けられた孔状掛止部（６）に、外側シート（１）の下方先端の中央部に設けられた突状掛止部（５）を挿入する。この場合、ロールファイルを円筒形とすることにより、外側シート（１）と内側シート（２）の先端部に数ミリメートルから略１センチメートルの差が生ずる。これは内輪と外輪との差から生ずるもので図２から判るように内側シート（２）の先端部と突状掛止部（５）との間に略１センチメートルの隙間が生ずることとなる。
【００２２】
突状掛止部（５）の形状においてはいくつかの形状が考えられる。まず通常の大きさとして図２による折り返しの長さを、例えば２センチメートルとすることで孔状掛止部（６）に差し込まれ外れ難い形状となる。これにより、２枚のシートが圧着され平板としての利用時も書類は安定した状態で保持される。また、更に外れ難い形状として図５による突状掛止部（５）の幅を孔状掛止部（６）より広く（幅広掛止部）とすることでロールファイルの円筒形を安定した状態で保持することができる。
【００２３】
最後に書類が多い場合に対応する方法として説明すると、書類が多い場合は２枚のシートの間に隙間ができ、また、書類も重いことから落ち易い状況といえる。そこで突状掛止部（５）と孔状掛止部（６）とを縦に２列備えて嵌合する方法もある。また、もう一つの方法として掛止部の幅を広くし、例えば幅を１０センチメートルとすることにより書類の重量にも安定して対応することができる。
【符号の説明】
【００２４】
１    外側シート
２    内側シート
３    書類
４    圧着部
５    突状掛止部
６    孔状掛止部
【図１】
0003195595.tif 000003
【図２】
0003195595.tif 000004
【図３】
0003195595.tif 000005
【図４】
0003195595.tif 000006